(57)【要約】【課題】ホワイトバランスの設定に関し、取り込んだデータの確認画面から調整画面への画面遷移のステップ数を改善し、操作性を向上させることを可能とする撮像装置、制御方法、および、プログラムを提供する。【解決手段】ホワイトバランスのデータ取り込みを行う取込前画面を表示し、前記取込前画面から取り込みを実行した後、取り込み値を表示する確認画面を表示し、前記確認画面に対するユーザ操作に応じて、前記取り込み値の調整を行う調整画面に遷移する表示制御を行う制御部を備える、撮像装置。【選択図】図１
2020102824.tif 000002
【特許請求の範囲】
【請求項１】
ホワイトバランスのデータ取り込みを行う取込前画面を表示し、
前記取込前画面から取り込みを実行した後、取り込み値を表示する確認画面を表示し、
前記確認画面に対するユーザ操作に応じて、前記取り込み値の調整を行う調整画面に遷移する表示制御を行う制御部を備える、撮像装置。
【請求項２】
前記制御部は、
前記確認画面に、前記調整画面に遷移する操作を促す画像を表示する、請求項１に記載の撮像装置。
【請求項３】
前記制御部は、
前記調整画面に遷移する際、前記取り込み値を確定する、請求項１に記載の撮像装置。
【請求項４】
前記制御部は、
選択された登録先のホワイトバランスデータを設定する設定画面を表示し、
前記設定画面に対する操作に応じて、前記取込前画面に遷移する表示制御を行う、請求項１に記載の撮像装置。
【請求項５】
前記制御部は、
前記設定画面に、前記取込前画面に遷移するための操作ボタン画像を表示する、請求項４に記載の撮像装置。
【請求項６】
前記制御部は、
前記設定画面に、前記調整画面に遷移する操作を促す画像を表示する、請求項４に記載の撮像装置。
【請求項７】
前記制御部は、
前記調整画面に対するキャンセル操作が行われた場合、調整値を消去し、前記確定した前記取り込み値を登録する、請求項３に記載の撮像装置。
【請求項８】
前記制御部は、
前記調整画面に対する決定操作に応じて、調整値された取り込み値を登録する、請求項１に記載の撮像装置。
【請求項９】
プロセッサが、
撮像装置におけるホワイトバランスのデータ取り込みを行う取込前画面を表示することと、
前記取込前画面から取り込みを実行した後、取り込み値を表示する確認画面を表示することと、
前記確認画面に対するユーザ操作に応じて、前記取り込み値の調整を行う調整画面に遷移する表示制御を行うことと、
を含む、制御方法。
【請求項１０】
コンピュータを、
撮像装置におけるホワイトバランスのデータ取り込みを行う取込前画面を表示し、
前記取込前画面から取り込みを実行した後、取り込み値を表示する確認画面を表示し、
前記確認画面に対するユーザ操作に応じて、前記取り込み値の調整を行う調整画面に遷移する表示制御を行う制御部として機能させるための、プログラム。
【発明の詳細な説明】
【技術分野】
【０００１】
本開示は受信装置および制御方法に関する。
【背景技術】
【０００２】
従来、デジタルスチルカメラにおけるホワイトバランスの設定においては、一般的に屋外及び室内の規定の設定データを用いる設定モードの他に、設定データの自動取り込みによって設定を行うモード及び手動取り込みによって設定を行うモードが設けられている。手動取り込みによって設定を行うモードにおいては、手動取り込みの操作を行うことによって設定データが取り込まれてホワイトバランスの設定が行われる。
【０００３】
例えば下記特許文献１では、設定データの手動取り込みによるホワイトバランスの設定に関し、１箇所の入力手段の操作によってホワイトバランスの設定モードの選択と設定データの取り込みを容易に行うことができるホワイトバランス設定方法について開示されている。
【先行技術文献】
【特許文献】
【０００４】
【特許文献１】特開２００２−２９０８１３号公報
【発明の概要】
【発明が解決しようとする課題】
【０００５】
しかしながら、ホワイトバランスのデータを取り込んだ際に、取り込んだデータを調整する際には、再度、ホワイトバランス設定画面を開いて画面を遷移していかなければならず、操作が面倒であった。
【課題を解決するための手段】
【０００６】
本開示によれば、ホワイトバランスのデータ取り込みを行う取込前画面を表示し、前記取込前画面から取り込みを実行した後、取り込み値を表示する確認画面を表示し、前記確認画面に対するユーザ操作に応じて、前記取り込み値の調整を行う調整画面に遷移する表示制御を行う制御部を備える、撮像装置を提案する。
【０００７】
本開示によれば、プロセッサが、撮像装置におけるホワイトバランスのデータ取り込みを行う取込前画面を表示することと、前記取込前画面から取り込みを実行した後、取り込み値を表示する確認画面を表示することと、前記確認画面に対するユーザ操作に応じて、前記取り込み値の調整を行う調整画面に遷移する表示制御を行うことと、を含む、制御方法を提案する。
【０００８】
本開示によれば、コンピュータを、撮像装置におけるホワイトバランスのデータ取り込みを行う取込前画面を表示し、前記取込前画面から取り込みを実行した後、取り込み値を表示する確認画面を表示し、前記確認画面に対するユーザ操作に応じて、前記取り込み値の調整を行う調整画面に遷移する表示制御を行う制御部として機能させるための、プログラムを提案する。
【図面の簡単な説明】
【０００９】
【図１】本実施形態による撮像装置の背面における外観構成の一例を示す図である。
【図２】本実施形態による撮像装置の内部構成の一例を示すブロック図である。
【図３】本実施形態による撮像装置で行われるホワイトバランスの設定における画面遷移の一例を示す図である。
【図４】本実施形態によるホワイトバランスのデータ設定を行うための入り口画面の一例を示す図である。
【図５】本実施形態によるホワイトバランスのデータ設定画面の一例を示す図である。
【図６】本実施形態によるホワイトバランスのデータ取り込み前画面の一例を示す図である。
【図７】本実施形態によるホワイトバランスのデータ取り込み確認画面の一例を示す図である。
【図８】本実施形態による取り込み値の調整を行うことが可能な調整画面の一例を示す図である。
【図９】本実施形態による撮像装置におけるホワイトバランス設定処理の流れの一例を示すフローチャートである。
【発明を実施するための形態】
【００１０】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１１】
また、説明は以下の順序で行うものとする。
１．概要
２．撮像装置１０の構成例
２−１．外観構成例
２−２．内部構成例
３．ホワイトバランスの設定
４．動作処理
５．まとめ
【００１２】
＜＜１．概要＞＞
本開示の一実施形態では、撮像装置１０に適用されるホワイトバランス設定方法に関し、データの取り込みを行う画面から取り込んだデータの調整を行う画面への遷移のステップ数を改善し、操作性を向上させることを可能とする仕組みを提案する。
【００１３】
＜＜２．撮像装置１０の構成例＞＞
＜２−１．外観構成例＞
図１は、本実施形態による撮像装置１０の背面における外観構成の一例を示す図である。図１に示すように、撮像装置１０の背面には、表示パネル１１０と、各種操作スイッチ１２０（例えば、メニューボタン１２１、コントロールボタン１２２（例えば、上キー、下キー、右キー、及び左キーを含む十字キー）、表示切り替えボタン、動画録画ボタン、再生ボタン、消去ボタン等）が設けられている。また、撮像装置１０には、シャッターボタン１２３が設けられている。
【００１４】
撮影時には、例えば表示パネル１１０に、撮像素子１３２で感知した像がリアルタイムで処理されて表示される（いわゆる、ライブビュー表示であって、このように表示される画像を「スルー画」と称す）。ユーザは、表示パネル１１０に表示されるスルー画を視認しながら撮影を行うことができる。また、表示パネル１１０には、現在の設定内容がアイコンや数値等により端的に表示され、ユーザは、設定内容を容易に確認することができる。なお、図１に示す撮像装置１０の外観構成は一例であって、本実施形態による撮像装置１０の各構成はこれに限定されず、また、各種操作スイッチの有無や形状、配置も、これに限定されない。
【００１５】
＜２−２．内部構成例＞
図２は、本実施形態による撮像装置１０の内部構成の一例を示すブロック図である。図２に示すように、撮像装置１０は、レンズブロック１３１、撮像素子１３２、カメラ信号ブロック１３３、信号処理ブロック１３４、ＲＧＢデコーダ１３５、ＲＡＭ１４０、メディアドライブ１４１、記録メディア１４２、コントローラ１５０、ＯＳＤＣ１５１、表示パネル１１０、およびｒ１２０を有する。なお図２に示す内部構成は、具体的なハードウェア構成の一例を挙げたものであって、本実施形態はこれに限定されない。
【００１６】
図２において、被写体（図示せず）からの映像光は、レンズブロック１３１を通って、映像光を電気信号に変換する撮像素子（ＣＣＤ（Charge  Coupled  Device）や、ＣＭＯＳ（Complementary  Metal  Oxide  Semiconductor）など）１３２に照射される。
【００１７】
この撮像素子１３２からの電気信号が、カメラ信号ブロック１３３に供給されて、輝度信号（Ｙ）及び色差信号（Ｃｂ、Ｃｒ）に変換される。そして変換された信号が信号処理ブロック１３４をそのまま通過してＲＧＢデコーダ１３５に供給され、３原色（Ｒ、Ｇ、Ｂ）信号に変換され、表示パネル１１０（表示部の一例であって、例えばＬＣＤ）に画像が映出される。
【００１８】
また、各種の操作手段及び外部キーなどの操作スイッチ１２０からの操作信号が、マイクロコンピュータ等から成るコントローラ１５０に供給される。コントローラ１５０は、例えば、ＣＰＵ（Central  Processing  Unit）またはＤＳＰ（Digital  Signal  Processor）などのプロセッサにより実現される制御部である。プロセッサは、ＲＡＭ（ランダムアクセスメモリ）等のメモリまたは他の記憶媒体に記憶されるプログラムを実行することにより、後に説明する撮像装置１０の様々な機能を動作させる。
【００１９】
例えば、操作スイッチ１２０のシャッターボタン１２３が押されると、コントローラ１５０からの制御信号がバス１６１を通じて信号処理ブロック１３４に供給され、この信号処理ブロック１３４から、画面１枚分の画像データがバス１６１を通じてＲＡＭ１４０に取り込まれる。すなわち、このような取り込みの作業を含め、システム全体の制御は、バス１６１を通じてコントローラ１５０が制御しているものである。
【００２０】
図２に示す構成例では、信号処理ブロック１３４、コントローラ１５０、ＲＡＭ１４０、及び後述するメディアドライブ１４１は、バス１６１を通じて結合されている。信号処理ブロック１３４及びメディアドライブ１４１の制御は、バス１６１を通じてコントローラ１５０が制御し、且つ画像データもバス１６１を通じて転送される。
【００２１】
さらにＲＡＭ１４０に取り込まれた画像データは、コントローラ１５０により、ＪＰＥＧ（Ｊｏｉｎｔ  Ｐｈｏｔｏｇｒａｐｈｉｃ  Ｅｘｐｅｒｔ  Ｇｒｏｕｐ）等のフォーマットに従って圧縮され、また、ファイルヘッダーなどが付加され、画像ファイルとしてのデータストリームに形成される。かかる画像ファイルが、メディアドライブ１４１に転送され、メディアドライブ１４１からメモリカード等の記録メディア１４２に書き込むことができる。
【００２２】
なお、図２に示す構成例では、記録メディア１４２としてメモリカードのような半導体メモリを想定しているが、フロッピー（登録商標）ディスクのような磁気ディスクや、ＣＤ−Ｒ、ＣＤ−ＲＷ、ＤＶＤ−Ｒ、ＤＶＤ−ＲＷのような光学式ディスク等のリムーバブルな記録メディアが内蔵されたものにも適用できる。
【００２３】
また、コントローラ１５０は、記録メディア１４２に書き込まれた画像ファイルを、表示パネル１１０に再生する制御を行うことも可能である。この場合、記録メディア１４２に書き込まれた画像ファイルがメディアドライブ１４１を通じてＲＡＭ１４０に転送され、転送された画像ファイルから画像データが抜き出され、コントローラ１５０により画像データを取り込みながら圧縮されたファイルが伸張される。伸張された画像データが、再びＲＡＭ１４０の別アドレスに格納されると、信号処理ブロック１３４は、当該画像データを読み出し、ＲＧＢデコーダ１３５に供給し、ＲＧＢデコーダ１３５において、この画像データが３原色（Ｒ、Ｇ、Ｂ）信号に変換されて、表示パネル１１０に画像が映出される。
【００２４】
また、コントローラ１５０には、シリアル通信ライン１６２を介してオンスクリーン表示コントローラ（ＯＳＤＣ）１５１が接続されている。オンスクリーン表示コントローラ１５１で形成された信号がデコーダ１３５に供給されて信号処理ブロック１３４からの画像データと混合される。これにより表示パネル１１０の任意の位置に、コントローラ１５０で指定された記号や文字、図形等からなるメニュー画面やアイコン等が表示される。
【００２５】
すなわち表示パネル１１０には、例えばコントローラ１５０の内部の設定等がアイコンの制御信号とされてＯＳＤＣ１５１に供給され、このアイコンが表示パネル１１０の任意の位置に表示される。これによって使用者は、表示パネル１１０を見ることで現在の設定内容を容易に確認することができ、撮影を円滑に行うことができる。
【００２６】
また、操作スイッチ１２０のメニューボタン１２１やコントロールボタン１２２等からの操作信号がコントローラ１５０に供給されると、その操作内容に応じてコントローラ１５０は任意のメニュー画面を作成し、作成されたメニュー画面が、ＯＳＤＣ１５１を介して表示パネル１１０に表示される。
【００２７】
以上、本実施形態におる撮像装置１０の内部構成の一例について説明した。なお、上述した説明は一例であって、本実施形態はこれに限定されない。例えば撮像装置１０は、通信インタフェースを有し、外部装置とのデータの送受信を行うことも可能である。通信インタフェースは、例えば、無線ＬＡＮ（Ｌｏｃａｌ  Ａｒｅａ  Ｎｅｔｗｏｒｋ）、Ｂｌｕｅｔｏｏｔｈ（登録商標）、Ｗｉ−Ｆｉ（登録商標）等であってもよい。また、本明細書で説明するプログラムおよびデータの一部または全部は、ＲＡＭ１４０や記録メディア１４２に記憶されることなく、外部のデータソース（例えば、データサーバ、ネットワークストレージまたは外付けメモリなど）から取得されてもよい。
【００２８】
また、本実施形態では、撮像装置１０の一例として、図１に示すようなコンパクトデジタルカメラを想定しているが、撮像装置１０はこれに限定されず、例えば、デジタルビデオカメラ、スマートフォン、タブレット端末等であってもよい。
【００２９】
＜＜３．ホワイトバランスの設定＞＞
続いて、本実施形態による撮像装置１０における、ホワイトバランスの設定について説明する。本実施形態では、ホワイトバランス設定における、ホワイトバランス設定データの取り込み（登録）と、取り込んだ（登録した）データの調整（例えば２軸調整）に関し、画面遷移のステップ数を改善し、操作性を向上させることを可能とする。
【００３０】
図３は、本実施形態による撮像装置１０で行われるホワイトバランスの設定における画面遷移の一例を示す図である。図３に示される各画面は、表示パネル１１０に表示されるオンスクリーン表示（ＯＳＤ）の実施形態を示したものである。なお、図３に示す各画面の具体的な表示例は、図４〜図８に示す。
【００３１】
まず、図３に示す画面３０は、ホワイトバランスのデータ設定を行うための入り口画面である。画面３０は、例えばメニューボタン１２１が押下された際に、コントローラ１５０により表示制御される。かかる画面３０の一例を、図４に示す。
【００３２】
図４に示すように、画面３０には、ホワイトバランスのデータ設定の登録先１〜３を選ぶ選択肢３０１が表示される。本実施形態では、ホワイトバランス設定時に、データの取り込みよりも先にデータの登録先を選択することで、ユーザが登録先を把握した上で取り込み操作を行えることができ、操作がより分かり易くなる。
【００３３】
次に、画面３０が表示されている際に例えば右キーが押下されると、図３に示すように、画面３１に遷移する。画面３１は、画面３０で選択されたデータ登録先におけるホワイトバランス設定画面である。かかる画面３１の一例を、図５に示す。
【００３４】
図５に示すように、例えば登録先２が選択された場合、画面３１には、「ホワイトバランス  カスタム２」と表示される。登録先２に既にデータが登録されている場合は、そのデータ内容が表示される。ホワイトバランスのデータは、色温度（単位には、熱力学的温度のＫ（ケルビン）が用いられる）により表現されるため、例えば、画面３１に示すように、データ内容として、色温度を示す「４４００Ｋ」といった数値が表示され得る。登録先２で新たにデータ取り込みを行うと、かかるデータが上書き保存され得る。ユーザは、登録先２の設定済みデータを確認すると共に、続けて、新たなデータ取り込みに移行することができる。具体的には、例えば画面３１には、取り込み画面へ遷移するためのＧＵＩ（グラフィックユーザインタフェース）ボタン３１１が表示されている。図５に示すＧＵＩボタン３１１の表示例は一例であって、アイコンの形状等、表示内容はこれに限定されない。
【００３５】
本実施形態では、取り込み画面へ遷移するためのトリガ（ＧＵＩボタン３１１）を、図４の左側に示すようなメニューアイコンと共に並べるのではなく、図５に示すように、登録先を選んだ際に表示される各ホワイトバランスの設定画面内に表示することで、各登録先からその登録先でのデータ取り込みを行うための画面に迅速に遷移する（遷移のステップ数を減らす）ことを可能とした。
【００３６】
また、図５に示すように、ＧＵＩボタン３１１の周囲に、例えば「右キー」が押下可能であることを明示する画像３１２を表示する。ＧＵＩボタン３１１を選択した状態で右キーが押下されると、図３に示すように、取り込んだ（登録された）データの調整を行う画面３４（例えば２軸調整画面）に遷移する。このように、本実施形態では、設定画面から１ステップで２軸調整画面に遷移させることが可能となる。ここでは、一例として「右キー」を用いたが、これに限定されず、例えば「下キー」や「上キー」等、他の方向への移動を示す操作ボタンを用いるようにしてもよい。
【００３７】
なお、画面３１でメニューボタン１２１が押下されると、画面３０に戻る。
【００３８】
次いで、画面３１において、ＧＵＩボタン３１１が選択された状態で決定ボタン１２４が押下されると、画面３２が表示される。画面３２は、ホワイトバランスのデータ取り込み前画面である。かかる画面３２の一例を、図６に示す。
【００３９】
図６に示すように、画面３２では、ユーザによるデータ取り込み操作を促す説明文（「決定ボタンで画面中央付近のデータを取り込みます」等）が表示される
【００４０】
画面３２において、ユーザが決定ボタン１２４を押下すると、撮影（すなわち、データの取り込み）が行われ、取り込んだデータを確認するための画面３３が表示される。撮影から画面３３へは、自動遷移する。かかる画面３２の一例を、図７に示す
【００４１】
図７に示すように、画面３３では、取り込んだホワイトバランスのデータが表示され、ユーザは登録内容を確認することができる。また、画面３３には、取り込み先（登録先）が明示される（例えば、「カスタム２」と表示される）。
【００４２】
取り込み値をキャンセルする場合は、例えばメニューボタン１２１を押下する。画面３３においてメニューボタン１２１が押下された場合、コントローラ１５０は、取り込み値をキャンセルすると共に、表示パネル１１０の表示画面を、画面３２に戻す。ユーザは再度撮影（取り込み）を行うことが可能となる。
【００４３】
取り込み値をそのまま登録する場合は、例えば決定ボタン１２４を押下する。画面３３において決定ボタン１２４が押下された場合、コントローラ１５０は、取り込み値を登録し、表示パネル１１０の表示画面を、画面３５に遷移させる。画面３５は、例えばスルー画が表示された状態の撮影待機画面である。画面３５には、現在の設定内容がアイコンや数値等により端的に表示され得る。
【００４４】
一方、取り込み値を調整したい場合は、例えば右キーを押下する。画面３３に示すように、例えば右キーが選択可能なことを、フッダー情報への情報追加により明示し、取り込み値の調整画面への遷移を促すことが可能となる。なお、ここでは一例として「右キー」を用いているが、本実施形態はこれに限定されず、他の操作スイッチを用いるようにしてもよい。
【００４５】
画面３３において右キーが押下された場合、コントローラ１５０は、取り込み値を確定した上で、表示パネル１１０の表示画面を、画面３４に遷移させる。画面３４は、取り込み値の調整を行うことが可能な調整画面である。
【００４６】
画面３４では、取り込み値の調整を、例えばＡ（アンバー）−Ｂ（ブルー）の軸と、Ｇ（グリーン）−Ｍ（マゼンタ）の軸上で調整する２軸調整ＵＩ３４１が表示される。２軸調整ＵＩ３４１では、カーソル移動により色温度を直接変更することが可能である。カーソルの移動は、例えば、コントロールボタン１２２（コントロールボタン１２２は、カーソルを、上方向に移動させる上キー、下方向に移動させる下キー、右方向に移動させる右キー、左方向に移動させる左キーを含む）により行い得る。ここで示す取り込み値の調整方法は一例であって、本実施形態はこれに限定されない。
【００４７】
調整が完了した場合、ユーザは、決定ボタン１２４を押下する。画面３４において決定ボタン１２４が押下された場合、コントローラ１５０は、調整された取り込み値を登録した上で、表示パネル１１０の表示画面を、画面３５に遷移させる。
【００４８】
一方、調整値をキャンセルする場合、ユーザは、メニューボタンを押下する。画面３４においてメニューボタン１２１が押下された場合、コントローラ１５０は、調整値をキャンセルした上で、表示パネル１１０の表示画面を、画面３１に遷移させる。なお、取り込み値は確定済みであるため、調整値がキャンセルされた場合は、確定された取り込み値が登録されるようにしてもよい。これにより、誤って調整を行ってしまった際に、調整値だけキャンセルすることが可能となる。
【００４９】
また、画面３３および画面３４において、シャッターボタン１２３の半押しなど、所定のメニューボタン１２１以外で画面遷移する場合は、値を確定した上で画面遷移するようにしてもよい。
【００５０】
以上説明したように、本実施形態では、ホワイトバランスの設定に関し、取り込み値の確認画面から１ステップでそのまま調整画面に遷移することができ、操作性が向上する。
【００５１】
また、取り込み値の登録先を先に決定することで、登録先を把握した上で取り込み値の操作を行うことが可能となる。
【００５２】
＜＜４．動作処理＞＞
図９は、本実施形態による撮像装置におけるホワイトバランス設定処理の流れの一例を示すフローチャートである。
【００５３】
図９に示すように、まず、撮像装置１０のコントローラ１５０は、ホワイトバランス設定の入り口画面（画面３０）において、ユーザにより取り込み先（登録先）が決定されると、決定した取り込み先のホワイトバランス設定画面（画面３１）を表示する（ステップＳ１０３）。
【００５４】
次に、画面３１から取り込み画面に遷移するＧＵＩボタン３１１の押下等の所定のユーザ操作に応じて、コントローラ１５０は、表示画面を取り込み前画面（画面３２）に遷移させる（ステップＳ１０６）。
【００５５】
次いで、コントローラ１５０は、ユーザによる決定ボタン１２４の押下等の操作が行われた場合、ホワイトバランスのデータ取り込みを実行すると判断し（ステップＳ１０９／Ｙｅｓ）、撮影を行う（ステップＳ１１２）。
【００５６】
続いて、コントローラ１５０は、撮影により取り込んだデータを表示する確認画面（画面３３）を表示する（ステップＳ１１５）。
【００５７】
次に、取り込みに問題がある場合は（ステップＳ１１８／Ｎｏ）、取り込み前画面（画面３２）に戻り、再度、ホワイトバランスのデータ取り込み（撮影）を行う。取り込みに問題がある場合とは、例えば手振れにより所望の撮影ができず、取り込み値が期待と大きく異なるものになった場合等が挙げられる。本実施形態によるホワイトバランスのデータ取り込みでは、例えば「白」を基準に取り込みを実施し、値を確定するところ、手振れ等により「黒」を取り込んでしまうと緑がかった画像になってしまうことが想定されるため、取り込みに問題があると言える。
【００５８】
一方、取り込みに問題が無く（ステップＳ１１８／Ｎｏ）、ユーザにより調整画面への遷移操作（例えば、「右キー」の押下）があった場合は（ステップＳ１２１／Ｙｅｓ）、コントローラ１５０は、取り込み値を確定した上で、２軸調整画面（画面３４）に遷移せせる（ステップＳ１２４）。
【００５９】
以上、本実施形態による動作処理の一例について説明した。なお、図９に示す動作処理は一例であって、本実施形態はこれに限定されない。
【００６０】
＜＜５．まとめ＞＞
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００６１】
例えば、上述した撮像装置１０に内蔵されるＣＰＵ、ＲＯＭ、およびＲＡＭ等のハードウェアに、撮像装置１０の機能を発揮させるためのコンピュータプログラムも作成可能である。また、当該コンピュータプログラムを記憶させたコンピュータ読み取り可能な記憶媒体も提供される。
【００６２】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００６３】
なお、本技術は以下のような構成も取ることができる。
（１）
ホワイトバランスのデータ取り込みを行う取込前画面を表示し、
前記取込前画面から取り込みを実行した後、取り込み値を表示する確認画面を表示し、
前記確認画面に対するユーザ操作に応じて、前記取り込み値の調整を行う調整画面に遷移する表示制御を行う制御部を備える、撮像装置。
（２）
前記制御部は、
前記確認画面に、前記調整画面に遷移する操作を促す画像を表示する、前記（１）に記載の撮像装置。
（３）
前記制御部は、
前記調整画面に遷移する際、前記取り込み値を確定する、前記（１）または（２）に記載の撮像装置。
（４）
前記制御部は、
選択された登録先のホワイトバランスデータを設定する設定画面を表示し、
前記設定画面に対する操作に応じて、前記取込前画面に遷移する表示制御を行う、前記（１）〜（３）のいずれか１項に記載の撮像装置。
（５）
前記制御部は、
前記設定画面に、前記取込前画面に遷移するための操作ボタン画像を表示する、前記（４）に記載の撮像装置。
（６）
前記制御部は、
前記設定画面に、前記調整画面に遷移する操作を促す画像を表示する、前記（４）または（５）に記載の撮像装置。
（７）
前記制御部は、
前記調整画面に対するキャンセル操作が行われた場合、調整値を消去し、前記確定した前記取り込み値を登録する、前記（３）に記載の撮像装置。
（８）
前記制御部は、
前記調整画面に対する決定操作に応じて、調整値された取り込み値を登録する、前記（１）〜（７）のいずれか１項に記載の撮像装置。
（９）
プロセッサが、
撮像装置におけるホワイトバランスのデータ取り込みを行う取込前画面を表示することと、
前記取込前画面から取り込みを実行した後、取り込み値を表示する確認画面を表示することと、
前記確認画面に対するユーザ操作に応じて、前記取り込み値の調整を行う調整画面に遷移する表示制御を行うことと、
を含む、制御方法。
（１０）
コンピュータを、
撮像装置におけるホワイトバランスのデータ取り込みを行う取込前画面を表示し、
前記取込前画面から取り込みを実行した後、取り込み値を表示する確認画面を表示し、
前記確認画面に対するユーザ操作に応じて、前記取り込み値の調整を行う調整画面に遷移する表示制御を行う制御部として機能させるための、プログラム。
【符号の説明】
【００６４】
１０  撮像装置
１１０  表示パネル
１２０  操作スイッチ
１２１  メニューボタン
１２２  コントロールボタン
１２３  シャッターボタン
１２４  決定ボタン
１３１  レンズブロック
１３２  半導体撮像素子
１３２  撮像素子
１３３  カメラ信号ブロック
１３４  信号処理ブロック
１３５  デコーダ
１４１  メディアドライブ
１４２  記録メディア
１５０  コントローラ
１５１  オンスクリーン表示コントローラ（ＯＳＤＣ）
１６１  バス
１６２  シリアル通信ライン
３０１  選択肢
３１１  ＧＵＩボタン
【図１】
2020102824.tif 000003
【図２】
2020102824.tif 000004
【図３】
2020102824.tif 000005
【図４】
2020102824.tif 000006
【図５】
2020102824.tif 000007
【図６】
2020102824.tif 000008
【図７】
2020102824.tif 000009
【図８】
2020102824.tif 000010
【図９】
2020102824.tif 000011